(57)【特許請求の範囲】
【請求項１】
画像処理装置であって、
背景とオブジェクトとを含む元画像における、少なくとも前記背景に第１テクスチャ成分を付加し、前記オブジェクトに前記第１テクスチャ成分と異なる第２テクスチャ成分を付加する画像処理を行う画像処理部と、
画像に基づき、インクジェット方式での印刷用の印刷データを生成する印刷制御部と
を備え、
前記印刷制御部は、前記画像処理後の画像に基づき印刷を行う印刷モードでは、前記画像処理を行わずに印刷を行う印刷モードと比較して、単位面積あたりのインク吐出量の少ない印刷データを生成する、画像処理装置。
【請求項２】
請求項１に記載の画像処理装置であって、
前記画像処理は、前記元画像における前記第１テクスチャ成分付加後の前記背景の色域を変化させる背景色域調整処理を含む、画像処理装置。
【請求項３】
請求項２に記載の画像処理装置であって、
前記背景色域調整処理は、前記元画像における前記第１テクスチャ成分付加後の前記背景の色域を圧縮させる処理である、画像処理装置。
【請求項４】
請求項１ないし請求項３のいずれかに記載の画像処理装置であって、
前記画像処理は、前記元画像の前記オブジェクトの色域を変化させるオブジェクト色域調整処理を含む、画像処理装置。
【請求項５】
請求項４に記載の画像処理装置であって、
前記オブジェクト色域調整処理は、前記元画像の前記オブジェクトの色域を伸張させる処理である、画像処理装置。
【請求項６】
請求項１ないし請求項５のいずれかに記載の画像処理装置であって、
前記第１テクスチャ成分は、特定の第１パターンを繰り返すテクスチャ成分であり、
前記第２テクスチャ成分は、前記第１パターンとは異なる特定の第２パターンを繰り返すテクスチャ成分であり、
前記第１テクスチャ成分の周波数と前記第２テクスチャ成分の周波数とは互いに異なる、画像処理装置。
【請求項７】
請求項６に記載の画像処理装置であって、
前記第１テクスチャ成分の周波数は、前記第２テクスチャ成分の周波数よりも大きい、画像処理装置。
【請求項８】
請求項６または請求項７に記載の画像処理装置であって、
前記第１テクスチャ成分の振幅と前記第２テクスチャ成分の振幅とは互いに異なる、画像処理装置。
【請求項９】
請求項８に記載の画像処理装置であって、
前記第１テクスチャ成分の振幅は、前記第２テクスチャ成分の振幅よりも小さい、画像処理装置。
【請求項１０】
画像処理方法であって、
背景とオブジェクトとを含む元画像における、少なくとも前記背景に第１テクスチャ成分を付加し、前記オブジェクトに前記第１テクスチャ成分と異なる第２テクスチャ成分を付加する画像処理を行う画像処理工程と、
画像に基づき、インクジェット方式での印刷用の印刷データを生成する印刷制御工程と
を備え、
前記印刷制御工程は、前記画像処理後の画像に基づき印刷を行う印刷モードでは、前記画像処理を行わずに印刷を行う印刷モードと比較して、単位面積あたりのインク吐出量の少ない印刷データを生成する、画像処理方法。
【発明の詳細な説明】
【技術分野】
【０００１】
本発明は、画像処理装置および画像処理方法、印刷物に関する。
【背景技術】
【０００２】
従来、商品等を包装する紙（以下、包装媒体と呼ぶ）のほとんどは、グラビア印刷で少品種大量生産されていた。顧客の様々なニーズに対応するために、包装媒体の多品種少量生産の要望があった。
【０００３】
印刷媒体にインクを吐出するインクジェットプリンターでの印刷は、グラビア印刷で必要とされる製版が不要であるため、多品種少量生産が可能である。インクジェットプリンターは、コート層を有する専用紙に印刷することにより、にじみや裏写りがなく、きれいに印刷できる。しかし、グラビア印刷での包装媒体の生産に一般に用いられている包装紙はコート層を有していないので、インクジェットプリンターで包装紙を印刷媒体として使用して印刷すると、インクがあふれてにじみや裏写りを生じさせてしまう場合がある。そのため、インクジェットプリンターでの印刷に、従来の包装紙をそのまま使用することには問題があった。また、にじみや裏写りを防止するため、インクジェットプリンターで、インク吐出量を減らすと、色の濃度が下がり、グラビア印刷の画質と比較して、画質が低下する場合があった。
【０００４】
従来では、画像データ内の明度が高い領域と明度が低い領域とを判定し、その判定結果に基づきインク吐出量を調整することで、印刷画像の不鮮明化を抑制しつつ、印刷紙に吐出されるインク吐出量を少なくする画像処理装置が知られている（例えば、特許文献１参照）。
【先行技術文献】
【特許文献】
【０００５】
【特許文献１】特開２００８−２７１０４５号公報
【特許文献２】特開２００９−７１６９５号公報
【発明の概要】
【発明が解決しようとする課題】
【０００６】
上記従来の技術では、インク吐出量を少なくできるが、包装紙を用いた印刷に適用した場合には、グラビア印刷の画質と同等の画質を確保することはできない。なお、インクジェットプリンター対応のコート層を有する専用紙を包装媒体として使用することも考えられるが、専用紙は従来の包装紙よりも厚いために折り曲げが容易でないこと、折り曲げたときにインクの剥がれが発生するおそれがあること、専用紙のコート層は被包装物に影響を及ぼす可能性があること、専用紙は包装紙と比較して価格が高いこと、といった点で必ずしも適切ではない。
【０００７】
本発明は、上述した従来の課題を解決するためになされたものであり、画像をインクジェットプリンターで印刷する場合に、画質の低下を抑制しつつ、インク吐出量を低減できる技術を提供することを目的とする。
【課題を解決するための手段】
【０００８】
上記課題の少なくとも一部を解決するために、本発明は、以下の形態または適用例として実現することが可能である。本発明の一形態は、画像処理装置であって、背景とオブジェクトとを含む元画像における、少なくとも前記背景に第１テクスチャ成分を付加し、前記オブジェクトに前記第１テクスチャ成分と異なる第２テクスチャ成分を付加する画像処理を行う画像処理部と；画像に基づき、インクジェット方式での印刷用の印刷データを生成する印刷制御部と；を備え；前記印刷制御部は、前記画像処理後の画像に基づき印刷を行う印刷モードでは、前記画像処理を行わずに印刷を行う印刷モードと比較して、単位面積あたりのインク吐出量の少ない印刷データを生成する。このような形態であれば、背景とオブジェクトとのテクスチャ成分が異なる場合、背景とオブジェクトとは、奥行き的に不連続となるため、オブジェクトは、見た目上、背景と比較して目立って見える。そのため、背景にテクスチャ成分を付加する前の元画像と比較して、印刷媒体へのインク吐出量を少なくしても、画質の低下を抑制しつつ、インク吐出量を低減できる。その他、本発明は、以下のような形態として実現することも可能である。
【０００９】
[適用例１]画像処理装置であって、
背景とオブジェクトとを含む元画像における、少なくとも前記背景に第１テクスチャ成分を付加する画像処理を行う画像処理部を備える、画像処理装置。
【００１０】
この画像処理装置では、元画像の背景にテクスチャ成分を付加する画像処理を行う。背景とオブジェクトとのテクスチャ成分が異なる場合、背景とオブジェクトとは、奥行き的に不連続となるため、オブジェクトは、見た目上、背景と比較して目立って見える。そのため、背景にテクスチャ成分を付加する前の元画像と比較して、印刷媒体へのインク吐出量を少なくしても、画質の低下を抑制しつつ、インク吐出量を低減できる。
【００１１】
[適用例２]適用例１に記載の画像処理装置であって、
画像に基づき、インクジェット方式での印刷用の印刷データを生成する印刷制御部を備え、
前記印刷制御部は、前記画像処理後の画像に基づき印刷を行う印刷モードでは、前記画像処理を行わずに印刷を行う印刷モードと比較して、単位面積あたりのインク吐出量の少ない印刷データを生成する、画像処理装置。
【００１２】
この画像処理装置では、インクジェット方式でのインク吐出量の少ない印刷データを生成する。そのため、テクスチャ成分を付加する前の画像と比較して、印刷媒体へのインク吐出量を少なくしても、画質の低下を抑制しつつ、インク吐出量を低減できる。
【００１３】
[適用例３]適用例１または適用例２に記載の画像処理装置であって、
前記画像処理は、前記元画像における前記第１テクスチャ成分付加後の前記背景の色域を変化させる背景色域調整処理を含む、画像処理装置。
【００１４】
この画像処理装置では、テクスチャ成分付加後の背景の色域を変化させるので、色域効果により、オブジェクトは背景に対して鮮やかに見える。そのため、テクスチャ成分を付加する前の画像と比較して、印刷媒体へのインク吐出量を少なくしても、画質の低下を抑制しつつ、インク吐出量を低減できる。
【００１５】
[適用例４]適用例３に記載の画像処理装置であって、
前記背景色域調整処理は、前記元画像における前記第１テクスチャ成分付加後の前記背景の色域を圧縮させる処理である、画像処理装置。
【００１６】
この画像処理装置では、テクスチャ成分付加後の背景の色域を圧縮させる。そのため、色域効果により、オブジェクトは背景に対してより鮮やかに見える。
【００１７】
[適用例５]適用例１ないし適用例４のいずれかに記載の画像処理装置であって、
前記画像処理は、前記元画像の前記オブジェクトの色域を変化させるオブジェクト色域調整処理を含む、画像処理装置。
【００１８】
この画像処理装置では、オブジェクトの色域を変化させるので、色域効果により、オブジェクトは背景に対して鮮やかに見える。そのため、テクスチャ成分を付加する前の画像と比較して、印刷媒体へのインク吐出量を少なくしても、画質の低下を抑制しつつ、インク吐出量を低減できる。
【００１９】
[適用例６]適用例５に記載の画像処理装置であって、
前記オブジェクト色域調整処理は、前記元画像の前記オブジェクトの色域を伸張させる処理である、画像処理装置。
【００２０】
この画像処理装置では、オブジェクトの色域を変化させる。そのため、色域効果により、オブジェクトは背景に対してより鮮やかに見える。
【００２１】
[適用例７]適用例１ないし適用例６のいずれかに記載の画像処理装置であって、
前記画像処理は、前記オブジェクトに第２テクスチャ成分を付加する処理を含む、画像処理装置。
【００２２】
この画像処理装置では、元画像のオブジェクトにテクスチャ成分を付加する画像処理を行う。背景とオブジェクトとのテクスチャ成分が異なる場合、背景とオブジェクトとは、奥行き的に不連続となる。よって、背景のみにテクスチャ成分を付加する場合と比較して、オブジェクトは、見た目上、背景に対してより目立って見える。そのため、テクスチャ成分を付加する前の画像と比較して、印刷媒体へのインク吐出量を少なくしても、画質の低下を抑制しつつ、インク吐出量を低減できる。
【００２３】
[適用例８]適用例７に記載の画像処理装置であって、
前記第１テクスチャ成分は、特定の第１パターンを繰り返すテクスチャ成分であり、
前記第２テクスチャ成分は、前記第１パターンとは異なる特定の第２パターンを繰り返すテクスチャ成分であり、
前記第１テクスチャ成分の周波数と前記第２テクスチャ成分の周波数とは互いに異なる、画像処理装置。
【００２４】
この画像処理装置では、背景に付加されるテクスチャ成分とオブジェクトに付加されるテクスチャ成分とは、特定のパターンを繰り返すテクスチャ成分である。また、背景に付加されるテクスチャ成分の周波数とオブジェクトに付加されるテクスチャ成分の周波数は互いに異なる。そのため、背景とオブジェクトとは、奥行き的に不連続となるため、オブジェクトは、見た目上、背景と比較して目立って見える。
【００２５】
[適用例９]適用例８に記載の画像処理装置であって、
前記第１テクスチャ成分の周波数は、前記第２テクスチャ成分の周波数よりも大きい、画像処理装置。
【００２６】
この画像処理装置では、背景に付加されるテクスチャ成分の周波数は、オブジェクトに付加されるテクスチャ成分の周波数よりも大きい。そのため、背景とオブジェクトとは、奥行き的に不連続となり、オブジェクトは、見た目上、背景に対して浮かび上がり、目立って見える。
【００２７】
[適用例１０]適用例８または適用例９に記載の画像処理装置であって、
前記第１テクスチャ成分の振幅と前記第２テクスチャ成分の振幅とは互いに異なる、画像処理装置。
【００２８】
この画像処理装置では、背景に付加されるテクスチャ成分の振幅とオブジェクトに付加されるテクスチャ成分の振幅は互いに異なる。そのため、背景とオブジェクトとは、奥行き的に不連続となるため、オブジェクトは、見た目上、背景と比較して目立って見える。
【００２９】
[適用例１１]適用例１０に記載の画像処理装置であって、
前記第１テクスチャ成分の振幅は、前記第２テクスチャ成分の振幅よりも小さい、画像処理装置。
【００３０】
この画像処理装置では、背景に付加されるテクスチャ成分の振幅は、オブジェクトに付加されるテクスチャ成分の振幅よりも小さい。そのため、背景とオブジェクトとは、奥行き的に不連続となり、オブジェクトは、見た目上、背景に対して浮かび上がり、目立って見える。
【００３１】
なお、本発明は、種々の態様で実現することが可能であり、例えば、画像処理方法および装置、画像検索方法および装置、印刷方法および装置、これらの方法または装置の機能を実現するためのコンピュータープログラム、そのコンピュータープログラムを記録した記録媒体、そのコンピュータープログラムを含み搬送波内に具現化されたデータ信号、等の形態で実現することができる。
【図面の簡単な説明】
【００３２】
【図１】本発明の第１実施例における印刷処理システム１０を概略的に示す説明図である。
【図２】第１実施例の印刷処理システム１０による印刷処理の流れを示すフローチャートである。
【図３】第１実施例の画像処理の流れを示すフローチャートである。
【図４】表示部１２０に表示される画像の一例を示す説明図である。
【図５】テクスチャ成分を付加する前の背景ＢＧのＲＧＢ成分における成分量の一例を示す説明図である。
【図６】第１実施例で背景ＢＧに付加するテクスチャ成分における成分量の一例を示す説明図である。
【図７】第１実施例で背景ＢＧにテクスチャ成分を付加した後の図４におけるＸ部の拡大図である。
【図８】第１実施例における色域の圧縮に関する色度図である。
【図９】第１実施例で背景ＢＧに付加するテクスチャ成分の色域を圧縮した後の成分量の一例を示す説明図である。
【図１０】第２実施例の画像処理の流れを示すフローチャートである。
【図１１】テクスチャ成分を付加する前のオブジェクトＯＢＪのＲＧＢ成分における成分量の一例を示す説明図である。
【図１２】第２実施例でオブジェクトＯＢＪに付加するテクスチャ成分における成分量の一例を示す説明図である。
【図１３】第２実施例における色域の伸張に関する色度図である。
【図１４】第２実施例でオブジェクトＯＢＪに付加するテクスチャ成分の色域を伸張した後の成分量の一例を示す説明図である。
【発明を実施するための形態】
【００３３】
次に、本発明の実施の形態を実施例に基づいて説明する。
Ａ．第１実施例：
Ａ−１．印刷処理システム：
Ａ−２．印刷処理：
Ａ−３．画像処理：
Ｂ．第２実施例：
Ｃ．変形例：
【００３４】
Ａ．第１実施例：
Ａ−１．印刷処理システム
図１は、本発明の第１実施例における印刷処理システム１０を概略的に示す説明図である。本実施例の印刷処理システム１０は、コンピューター１００と、コンピューター１００に接続されたインクジェットプリンター３００およびスキャナー４００と、を備えている。
【００３５】
コンピューター１００は、ＣＰＵ１１０と、液晶モニター等の表示部１２０と、キーボードやマウス等の操作部１３０と、ハードディスクドライブ等の外部記憶装置１４０と、インターフェース部（Ｉ／Ｆ部）１５０と、ＲＯＭやＲＡＭ等の内部記憶装置２００と、を備えている。コンピューター１００の各構成要素は、バス１６０を介して互いに接続されている。
【００３６】
インターフェース部１５０は、ケーブルを介してインクジェットプリンター３００およびスキャナー４００等の外部機器と接続され、外部機器との間で情報のやりとりを行う。例えば、インターフェース部１５０は、インクジェットプリンター３００に対し、印刷データを供給する。また、インターフェース部１５０は、スキャナー４００により生成された画像データを取得する。なお、スキャナー４００に変えて、デジタルカメラであってもよい。また、画像データは、コンピューターを用いて生成された画像（ＣＧ）であってもよい。インターフェース部１５０は、ネットワークと接続され、ネットワークを介して情報のやりとりを行うとしてもよい。
【００３７】
内部記憶装置２００には、画像処理モジュール２１０と、画像取得モジュール２２０と、印刷制御モジュール２３０と、画像生成モジュール２４０と、が格納されている。画像処理モジュール２１０と画像取得モジュール２２０と印刷制御モジュール２３０と画像生成モジュール２４０とは、所定のオペレーティングシステムの下で、後述の印刷処理の少なくとも一部の処理を実行するためのコンピュータープログラムである。具体的には、画像取得モジュール２２０は、スキャナー４００を制御するスキャナードライバーであり、印刷制御モジュール２３０は、インクジェットプリンター３００を制御するプリンタードライバーである。ＣＰＵ１１０は、内部記憶装置２００から画像処理モジュール２１０と画像取得モジュール２２０と印刷制御モジュール２３０と画像生成モジュール２４０とを読み出して実行することにより、これら各部の機能を実現する。なお、本実施例における画像処理モジュール２１０は、本発明における画像処理部に相当し、印刷制御モジュール２３０は、本発明における印刷制御部に相当する。また、本実施例におけるコンピューター１００は、本発明における画像処理装置に相当する。
【００３８】
インクジェットプリンター３００は、インク滴を印刷媒体上に吐出してインクドットを形成することにより印刷を行うプリンターである。本実施例のインクジェットプリンター３００は、６色のインク（シアン（Ｃ）、マゼンダ（Ｍ）、イエロー（Ｙ）、ブラック（Ｋ）、ライトシアン（ＬＣ）、ライトマゼンダ（ＬＭ））を用いて印刷を行う。
【００３９】
スキャナー４００は、対象物を読み取り、読み取った対象物の画像を表すデータを生成するイメージスキャナーである。
【００４０】
Ａ−２．印刷処理
図２は、第１実施例の印刷処理システム１０による印刷処理の流れを示すフローチャートである。本実施例の印刷処理は、原画を読み取って画像データを取得し、画像データに所定の画像処理を施した後に、印刷媒体としての包装紙に印刷を行って、商品等を包装する包装媒体を生産する処理である。
【００４１】
最初に画像取得モジュール２２０は、スキャナー４００を制御して原画を読み取り、画像データを取得する。原画は、包装媒体用にデザインされたもの、例えば、絵の具を用いて描画されたものである。画像生成モジュール２４０は、読み取った画像データを背景とオブジェクトとに識別し、背景の色を濃淡のない特定の一色に変更して、元画像データを生成処理する（ステップＳ１０２）。
【００４２】
次に、画像処理モジュール２１０は、元画像データに対して、所定の画像処理を行う（ステップＳ１１０）。画像処理の詳細については、後述する。
【００４３】
次に、印刷制御モジュール２３０は、画像処理が行われた画像データ（例えばＲＧＢデータ）の解像度を印刷解像度に一致する解像度変換処理を行う（ステップＳ１２０）。
【００４４】
次に、印刷制御モジュール２３０は、解像度変換後の画像データを、インクジェットプリンター３００の各インク色のインク吐出量データに変換するインク色分版処理を行う（ステップＳ１３０）。本実施例では、操作者は、操作部１３０を操作することにより、印刷制御モジュール２３０が有している印刷媒体の種類毎のルックアップテーブル（ＬＵＴ）から、ＬＵＴを選択する。本実施例では、包装紙用のＬＵＴを用いてインク色分版処理を行うと、専用紙用のＬＵＴを用いて処理を行った場合と比較して、インク吐出量が４０％程度少なくなるようにＬＵＴが設定されている。なお、本発明における印刷媒体に吐出するときに減らすインク吐出量は４０％程度に限定されない。
【００４５】
次に、印刷制御モジュール２３０は、インク色分版処理で得られたインク吐出量データを２値化（あるいは多値化）し、各画素における各色インクドットのＯＮ／ＯＦＦ（あるいはインクドットの大きさ）を示すドット配置データを生成するハーフトーン処理を行う（ステップＳ１４０）。
【００４６】
次に、印刷制御モジュール２３０は、ドット配置データを、インクジェットプリンター３００のノズル配置や印刷媒体の搬送量等に応じて、画像形成動作の順に並び替えるラスタライズ処理を行う（ステップＳ１５０）。ラスタライズ処理により、各画造形成動作における各ノズルによるインク吐出態様（インク吐出／非吐出の別やインク吐出量）を特定する印刷データが生成される。なお、印刷データは、インクジェットプリンター３００の各部に特定の動作の実行を指示するためのコマンドデータを含んでいる。
【００４７】
次に、印刷制御モジュール２３０は、印刷データに基づき、インクを吐出する移動機構による画像形成動作と、印刷媒体を搬送させる搬送動作と、を繰り返すことにより、印刷媒体としての包装紙に画像を印刷する記録処理を行う（ステップＳ１６０）。これにより、商品等を包装する包装媒体が生産される。
【００４８】
Ａ−３．画像処理
図３は、第１実施例の画像処理の流れを示すフローチャートである。画像処理（図２のステップＳ１１０）は、元画像データに対して、背景にテクスチャ成分を付加し、背景の色域を変化させる処理である。
【００４９】
画像処理モジュール２１０は、表示部１２０に操作するための操作画面を表示する。画像処理モジュール２１０の操作画面上で画像データのファイルを開くと、表示部１２０に画像データに基づいた画像が表示される（ステップＳ３１０）。
【００５０】
図４は、表示部１２０に表示される画像の一例を示す説明図である。画像ＩＭＧは、元画像生成処理で生成された画像である。画像ＩＭＧは、背景ＢＧと複数のオブジェクトＯＢＪとから構成されている。オブジェクトＯＢＪは、背景ＢＧ上に分散配置された模様を意味する。なお、各オブジェクトＯＢＪが独立していてもよいし、一部がつながったり、重なったりしていてもよい。操作者が、操作部１３０を操作して、あらかじめ設定登録されているテクスチャ成分の１つを選択すると、画像処理モジュール２１０は、表示部１２０に表示された画像ＩＭＧの背景ＢＧに、選択されたテクスチャ成分を付加する（ステップＳ３２０）。本実施例で選択され、付加されたテクスチャ成分については、後述する。
【００５１】
図５は、テクスチャ成分を付加する前の背景ＢＧのＲＧＢ成分における成分量の一例を示す説明図である。横軸は階調値である。本実施例では、階調値は、最小である左端が０であり、最大である右端が２５５で、２５６階調となっている。縦軸は成分量（％）である。図５（ａ）は、ＲＥＤ（Ｒ）成分とＧＲＥＥＮ（Ｇ）成分とＢＬＵＥ（Ｂ）成分とを合わせた成分量を示している。図５（ｂ）はＲ成分の成分量を示し、図５（ｃ）はＧ成分の成分量を示し、図５（ｄ）はＢ成分との成分量を示している。本実施例におけるＲ成分は、階調値が２３２の成分量１００％の成分である。Ｇ成分は、階調値が２２９の成分量１００％の成分である。Ｂ成分は、階調値が２１８の成分量１００％の成分である。また、ＲＧＢ各成分は、特定の階調値の成分量が１００％であるため、テクスチャ成分を付加する前の画像ＩＭＧの背景ＢＧの色は濃淡のない混合色一色となる。
【００５２】
図６は、第１実施例で背景ＢＧに付加するテクスチャ成分における成分量の一例を示す説明図である。図６は、図５と同様、横軸が階調値で、縦軸が成分量（％）である。図６（ａ）は、Ｒ成分とＧ成分とＢ成分とを合わせた成分量を示している。図６（ｂ）はＲ成分の成分量を示し、図６（ｃ）はＧ成分の成分量を示し、図６（ｄ）はＢ成分との成分量を示している。図６（ａ）の成分量を示すヒストグラムは、階調値が５０と２０６との成分量が最も多く、階調値１２８を中心とした対照的な成分分布となっている。このように、各色成分において、所定の２つの階調値でピークを有する分布となっている。また、各色成分において、２つのピークの間の階調において、極小値を持っている。本実施例で背景ＢＧに付加するテクスチャ成分では、図６（ｂ）に示すＲ成分と図６（ｃ）に示すＧ成分と図６（ｄ）に示すＢ成分との成分量は同じヒストグラムである。なお、背景ＢＧに付加するテクスチャ成分のＲＧＢの成分量は異なっていてもよい。また、ヒストグラムの成分分布は本実施例のものに限られない。図６に示すテクスチャ成分は、本発明における第１テクスチャ成分に相当する。
【００５３】
図７は、第１実施例で背景ＢＧにテクスチャ成分を付加した後の図４におけるＸ部の拡大図である。本実施例で背景ＢＧに付加するテクスチャ成分は、濃淡を有する粒状パターンＧＲを繰り返した模様であり、後述する色域の圧縮と合わせることで、背景ＢＧに和紙のような質感を与えている。本実施例における背景ＢＧの粒状パターンＧＲの周波数は、３個／ｍｍ（３パターン／ｍｍ）である。ここで、背景ＢＧの粒状パターンＧＲの周波数は、単位距離当たりに含まれる粒状パターンＧＲの数である。なお、背景ＢＧの粒状パターンＧＲは、本発明における特定の第１パターンに相当する。
【００５４】
画像ＩＭＧの背景ＢＧにテクスチャ成分が付加されると、テクスチャ成分が付加された後の画像ＩＭＧは、表示部１２０に表示される（ステップＳ３３０）。本実施例における背景ＢＧに付加されるテクスチャ成分は、画像ＩＭＧに近づいて意識して注視しないと、テクスチャ成分の有無を確認できないぐらいのものである。なお、背景ＢＧに付加されるテクスチャ成分は本実施例のものに限られず、遠くから観察して、テクスチャ成分の有無を確認できるものであってもよい。
【００５５】
操作者は、画像ＩＭＧの背景ＢＧに付加されたテクスチャ成分を選びなおしたいとき（ステップＳ３４０：ＮＯ）、再び背景ＢＧに付加するテクスチャ成分を選択し、背景ＢＧにテクスチャ成分を付加する（ステップＳ３２０）。
【００５６】
操作者は、画像ＩＭＧの背景ＢＧに付加されたテクスチャ成分でよければ（ステップＳ３４０：ＹＥＳ）、操作部１３０を操作することにより、表示部１２０に表示された画像ＩＭＧの背景ＢＧの色域を圧縮する（ステップＳ３５０）。
【００５７】
図８は、第１実施例における色域の圧縮に関する色度図である。色域を圧縮する前の背景ＢＧの色域は、馬蹄形のＣ１の内部で表される領域である。点ＷＨは、図８で無彩色の白色を示す点である。本実施例の色域の圧縮では、点ＷＨを中心として、色域はＣ１から馬蹄形のＣ２（矢印の方向）に相似的に圧縮される。色域が圧縮されるため、色域を圧縮する前と比較して、テクスチャ成分を付加した背景ＢＧの最大の階調値と最小の階調値との差である振幅は小さくなる。なお、色域の圧縮の方法には、本実施例のような点ＷＨを中心とする相似的な圧縮に限られない。
【００５８】
図９は、第１実施例で背景ＢＧに付加するテクスチャ成分の色域を圧縮した後の成分量の一例を示す説明図である。横軸が階調値で、縦軸が成分量（％）である。図９（ａ）は、Ｒ成分とＧ成分とＢ成分とを合わせた成分量を示している。図９（ｂ）はＲ成分の成分量を示し、図９（ｃ）はＧ成分の成分量を示し、図９（ｄ）はＢ成分との成分量を示している。図９（ａ）に示すように、本実施例における色域を圧縮した後の背景ＢＧの最大の階調値は２４０で、最小の階調値は２００であるため、背景ＢＧの振幅は４０となる。図９（ｂ）に示すように、Ｒ成分は、背景ＢＧにテクスチャ成分を付加する前のＲ成分の階調値２３２を中心とし、階調値２２７と２３７とで成分量が最も多い、対照的な成分分布となっている。同様に、図９（ｃ）に示すように、Ｇ成分は、背景ＢＧにテクスチャ成分を付加する前のＧ成分の階調値２２９を中心とし、階調値２２２と２３６とで成分量が最も多い、対照的な成分分布となっている。また、図９（ｄ）に示すように、Ｂ成分は、背景ＢＧにテクスチャ成分を付加する前のＢ成分の階調値２１８を中心とし、階調値２０６と２３０とで成分量が最も多い、対照的な成分分布となっている。このように、各色成分において、所定の２つの階調値でピークを有する分布となっている。また、各色成分において、２つのピークの間の階調において、極小値を持っている。なお、操作者は、背景ＢＧに付加するテクスチャ成分のＲＧＢの色域の圧縮率を自由に設定できる。また、図９（ｂ）、（ｃ）、（ｄ）のように、Ｂ成分、Ｇ成分、Ｒ成分の順に、２つのピークの間の幅が狭くなるように設定することが好ましい。すなわち、２つのピークとなる階調値の差は、Ｂ成分が２４と最も大きく、次にＧ成分が１４と大きく、Ｒ成分が１０と最も小さくなるように設定することが好ましい。なお、各成分のピークとなる階調値の差の数値はこれに限られない。各成分の２つのピークの間の幅の関係は、第２実施例の順に限られないし、例えば、いずれかの成分で、２つのピークの間の幅が同じであってもよい。また、色域の圧縮率は本実施例の圧縮率と異なっていてもよいし、圧縮する中心の階調値も自由に設定してもよい。背景ＢＧの振幅も本実施例の数値に限られない。
【００５９】
画像ＩＭＧの背景ＢＧの色域が圧縮されると、色域を圧縮した後の画像ＩＭＧが、表示部１２０に表示される（ステップＳ３６０）。操作者は、画像ＩＭＧの背景ＢＧの色域の圧縮をやり直したいとき（ステップＳ３７０：ＮＯ）、再び背景ＢＧの色域の圧縮を行う（ステップＳ３５０）。
【００６０】
操作者は、画像ＩＭＧの背景ＢＧの色域の圧縮でよければ（ステップＳ３７０：ＹＥＳ）、その後、画像ＩＭＧの画像処理について、すべてよいか判断する。操作者が画像ＩＭＧに付加されたテクスチャ成分や色域の圧縮について変更したい場合（ステップＳ３８０：ＮＯ）、再び操作者は背景ＢＧに付加するテクスチャ成分を選択し、背景ＢＧに付加する（ステップＳ３２０）。操作者が画像ＩＭＧの画像処理についてすべてよいと判断した場合（ステップＳ３８０：ＹＥＳ）、画像処理は終了する。
【００６１】
以上説明したように、本実施例の印刷処理システム１０では、画像処理モジュール２１０は、画像ＩＭＧの背景ＢＧにテクスチャ成分を付加することができる。ここで、画像ＩＭＧ内の隣接する背景ＢＧとオブジェクトＯＢＪとのテクスチャ成分が異なる場合、背景ＢＧとオブジェクトＯＢＪとは、奥行き的に不連続な（奥行き弁別閾値が異なる）ことが多い。そのため、画像ＩＭＧの観察者は、背景ＢＧとオブジェクトＯＢＪとは同じ画像ＩＭＧ内に存在するにもかかわらず、見た目上、観察者と背景ＢＧとの距離と観察者とオブジェクトＯＢＪとの距離とが、異なっているように見える。よって、背景ＢＧにテクスチャ成分を付加することによって、背景ＢＧと比較してオブジェクトＯＢＪが、見た目上、目立って見える。従って、本実施例の印刷処理システム１０では、インクジェットプリンター３００で背景ＢＧにテクスチャ成分を付加した画像ＩＭＧを印刷する場合、テクスチャ成分を付加する前の画像ＩＭＧと比較して、印刷媒体へのインク吐出量を少なくしても、画質の低下を抑制しつつ、インク吐出量を低減できる。
【００６２】
また、本実施例の印刷処理システム１０では、印刷制御モジュール２３０は、インクジェットプリンター３００が印刷媒体に吐出するインク吐出量を少なくすることができるため、コート層を有しない印刷媒体にも、にじみや裏写りを生じさせないで印刷することができる。また、包装媒体へのインク吐出量を少なくすることができるので、インクのコストを削減できる。
【００６３】
また、本実施例の印刷処理システム１０では、画像処理モジュール２１０は、画像ＩＭＧの背景ＢＧにテクスチャ成分を付加した後、背景ＢＧの色域を圧縮している。そのため、周辺の色域が低い環境では物体の見えの色域が上昇する色域効果を生じる。よって、オブジェクトＯＢＪは背景ＢＧに対して鮮やかに見える。従って、本実施例の印刷処理システム１０では、テクスチャ成分を付加する前の画像ＩＭＧと比較して、印刷媒体へのインク吐出量を少なくしても、画質の低下を抑制しつつ、インク吐出量を低減できる。
【００６４】
Ｂ．第２実施例
図１０は、第２実施例の画像処理の流れを示すフローチャートである。第２実施例における画像処理では、画像ＩＭＧの背景ＢＧにテクスチャ成分を付加する処理に加えて、オブジェクトＯＢＪにテクスチャ成分を付加すると共に、オブジェクトＯＢＪに付加されたテクスチャ成分の色域を伸張する処理を行う点が、第１実施例の画像処理と異なる。また、第２実施例では、画像処理を行う元画像は、ＣＧであり、画像ＩＭＧ内の背景ＢＧの色は、濃淡のない特定の一色である。オブジェクトＯＢＪの色は、濃淡のない特定の一色または複数色である。すなわち、第２実施例の元画像では、背景ＢＧもオブジェクトＯＢＪもテクスチャ成分を有していない。
【００６５】
図１０のステップＳ４１０からステップＳ４８０までの処理は、図３に示した第１実施例のステップＳ３１０からステップＳ３８０までの処理と同じである。操作者は、背景ＢＧの画像処理の後、オブジェクトＯＢＪに付加するテクスチャ成分を選択する（ステップＳ５１０）。
【００６６】
図１１は、テクスチャ成分を付加する前のオブジェクトＯＢＪのＲＧＢ成分における成分量の一例を示す説明図である。図５と同様、横軸が階調値で、縦軸が成分量（％）である。図１１（ａ）は、背景ＢＧの図１１（ｂ）に示すＲ成分と図１１（ｃ）に示すＧ成分と図１１（ｄ）に示すＢ成分とを合わせた成分量を示している。図１１（ｂ）はＲ成分の成分量を示し、図１１（ｃ）はＧ成分の成分量を示し、図１１（ｄ）はＢ成分との成分量を示している。第２実施例におけるＲ成分は、階調値が２３５の成分量１００％の成分である。Ｇ成分は、階調値が１６０の成分量１００％の成分である。Ｂ成分は、階調値が２４０の成分量１００％の成分である。また、ＲＧＢ各成分は、特定の階調値の成分量が１００％であるため、テクスチャ成分を付加する前の画像ＩＭＧのオブジェクトＯＢＪは濃淡のない混合色一色となる。
【００６７】
図１２は、第２実施例でオブジェクトＯＢＪに付加するテクスチャ成分における成分量の一例を示す説明図である。図１２は、図１１と同様、横軸が階調値で、縦軸が成分量（％）である。図１２（ａ）は、背景ＢＧの図１２（ｂ）に示すＲ成分と図１２（ｃ）に示すＧ成分と図１２（ｄ）に示すＢ成分とを合わせた成分量を示している。第２実施例でオブジェクトＯＢＪに付加するテクスチャ成分は、図１２（ｂ）に示すＲ成分と図１２（ｃ）に示すＧ成分と図１２（ｄ）に示すＢ成分との成分量のヒストグラムである。なお、オブジェクトＯＢＪに付加するテクスチャ成分のヒストグラムの成分分布は第２実施例のものに限られない。図１２に示すテクスチャ成分は、本発明における第２テクスチャ成分に相当する。
【００６８】
第２実施例でオブジェクトＯＢＪに付加するテクスチャ成分は、濃淡を有する曲線を繰り返した模様である。画像ＩＭＧは、後述する色域の伸張と合わせることで、和紙に水彩絵の具で文様を施した質感を与えられている。第２実施例におけるオブジェクトＯＢＪの曲線の周波数は、０．５本／ｍｍ（０．５パターン／ｍｍ）である。なお、オブジェクトＯＢＪに付加する濃淡を有する曲線は、本発明における特定の第２パターンに相当する。
【００６９】
画像ＩＭＧのオブジェクトＯＢＪにテクスチャ成分が付加されると、テクスチャ成分付加された後の画像ＩＭＧは、表示部１２０に表示される（ステップＳ５２０）。
【００７０】
操作者は、画像ＩＭＧのオブジェクトＯＢＪに付加されたテクスチャ成分を選びなおしたいとき（ステップＳ５３０：ＮＯ）、再びオブジェクトＯＢＪに付加するテクスチャ成分を選択し、オブジェクトＯＢＪにテクスチャ成分を付加する（ステップＳ５１０）。
【００７１】
操作者は、画像ＩＭＧのオブジェクトＯＢＪに付加されたテクスチャ成分でよければ（ステップＳ５３０：ＹＥＳ）、操作部１３０を操作することにより、表示部１２０に表示された画像ＩＭＧのオブジェクトＯＢＪの色域を伸張する（ステップＳ５４０）。
【００７２】
図１３は、第２実施例における色域の伸張に関する色度図である。色域を伸張する前のオブジェクトＯＢＪの色域は、馬蹄形のＣ３の内部で表される領域である。点ＷＨは、図８と同様、図１３で無彩色の白色を示す点である。第２実施例の色域の伸張では、点ＷＨを中心として、色域はＣ３から馬蹄形のＣ４（矢印の方向）に相似的に伸張される。色域が伸張されるため、色域を伸張する前と比較して、第２実施例のオブジェクトＯＢＪのテクスチャパターンの振幅は大きくなる。なお、色域の伸張の方法には、第２実施例のような点ＷＨを中心とする相似的な伸張に限られない。
【００７３】
図１４は、第２実施例でオブジェクトＯＢＪに付加するテクスチャ成分の色域を伸張した後の成分量の一例を示す説明図である。横軸が階調値で、縦軸が成分量（％）である。図１４（ａ）は、Ｒ成分とＧ成分とＢ成分とを合わせた成分量を示している。図１４（ｂ）はＲ成分の成分量を示し、図１４（ｃ）はＧ成分の成分量を示し、図１４（ｄ）はＢ成分との成分量を示している。図１４（ａ）に示すように、第２実施例における色域を伸張した後のオブジェクトＯＢＪの最大の階調値は２５０で、最小の階調値は５０であるため、オブジェクトＯＢＪの振幅は２００となる。図１４（ｂ）に示すように、第２実施例では、Ｒ成分は、オブジェクトＯＢＪにテクスチャ成分を付加する前の、例えばＲ成分が１００％である階調値２３５を基準として伸張し、階調値を５０から２５０の数値に調整している。Ｒ成分と同様、図１４（ｃ）に示すように、Ｇ成分は、オブジェクトＯＢＪにテクスチャ成分を付加する前の、例えばＧ成分が１００％である階調値１６０を基準として伸張し、階調値を５０から２５０の数値に調整している。図１４（ｄ）に示すように、Ｂ成分は、オブジェクトＯＢＪにテクスチャ成分を付加する前の、例えばＢ成分が１００％である階調値２４０を基準として伸張し、階調値を５０から２５０の数値に調整している。なお、操作者は、オブジェクトＯＢＪに付加するテクスチャ成分のＲＧＢの色域の伸張率を自由に設定できる。また、色域の伸張率は第２実施例の伸張率と異なっていてもよいし、伸張する基準の階調値も自由に設定してもよい。調整する階調値の幅も第２実施例の５０から２５０に限られないし、オブジェクトＯＢＪの振幅も第２実施例の数値に限られない。
【００７４】
画像ＩＭＧのオブジェクトＯＢＪの色域が伸張されると、色域を伸張した後の画像ＩＭＧが、表示部１２０に表示される（ステップＳ５５０）。操作者は、画像ＩＭＧのオブジェクトＯＢＪの色域の伸張をやり直したいとき（ステップＳ５６０：ＮＯ）、再びオブジェクトＯＢＪの色域の伸張を行う。（ステップＳ５４０）。
【００７５】
操作者は、画像ＩＭＧのオブジェクトＯＢＪの色域の伸張でよければ（ステップＳ３７０：ＹＥＳ）、その後、画像ＩＭＧのオブジェクトＯＢＪの画像処理について、すべてよいか判断する。操作者が画像ＩＭＧのオブジェクトＯＢＪに付加されたテクスチャ成分や色域の伸張について変更したい場合（ステップＳ５７０：ＮＯ）、再び操作者はオブジェクトＯＢＪに付加するテクスチャ成分を選択し、オブジェクトＯＢＪに付加する（ステップＳ５１０）。
【００７６】
操作者は、画像ＩＭＧのオブジェクトＯＢＪの画像処理についてよいと判断した場合（ステップＳ５７０：ＹＥＳ）、その後、画像ＩＭＧの画像処理について、すべてよいか判断する。操作者が画像ＩＭＧの背景ＢＧまたはオブジェクトＯＢＪに付加されたテクスチャ成分や色域について変更したい場合（ステップＳ５８０：ＮＯ）、再び操作者は背景ＢＧに付加するテクスチャ成分を選択し、オブジェクトＯＢＪに付加する（ステップＳ４２０）。操作者が画像ＩＭＧの画像処理についてすべてよいと判断した場合（ステップＳ５８０：ＹＥＳ）、画像処理は終了する。
【００７７】
以上説明したように、第２実施例の印刷処理システム１０では、画像処理モジュール２１０は、画像ＩＭＧのオブジェクトＯＢＪにテクスチャ成分を付加することができる。また、付加したテクスチャ成分の色域を伸張することができる。よって、背景ＢＧに付加されるテクスチャ成分とオブジェクトＯＢＪに付加されるテクスチャ成分とは異なる。そのため、色域効果により、背景ＢＧにのみテクスチャ成分を付加した第１実施例の場合と比較して、よりオブジェクトＯＢＪは背景ＢＧに対して鮮やかに見える。従って、第２実施例の印刷処理システム１０では、テクスチャ成分を付加する前の画像ＩＭＧと比較して、印刷媒体へのインク吐出量を少なくしても、画質の低下を抑制しつつ、インク吐出量を低減できる。
【００７８】
また、第２実施例の印刷処理システム１０では、画像ＩＭＧの背景ＢＧに付加されるテクスチャ成分は、周波数が３パターン／ｍｍの粒状パターンＧＲを繰り返した模様である。また、画像ＩＭＧのオブジェクトＯＢＪに付加されるテクスチャ成分は、周波数が０．５パターン／ｍｍの曲線を繰り返した模様である。そのため、背景ＢＧに付加されるテクスチャ成分の周波数は、オブジェクトＯＢＪに付加されるテクスチャ成分の周波数よりも大きい。さらに、背景ＢＧに付加されるテクスチャ成分は、振幅が４０の粒状パターンＧＲを繰り返した模様である。また、オブジェクトＯＢＪに付加されるテクスチャ成分は、振幅が２００の曲線を繰り返した模様である。そのため、背景ＢＧに付加されるテクスチャ成分の振幅は、オブジェクトＯＢＪに付加されるテクスチャ成分の振幅よりも小さい。よって、背景ＢＧとオブジェクトＯＢＪとは、奥行き弁別閾値が異なり、オブジェクトＯＢＪは、背景ＢＧよりも、見た目上、近くに存在しているように見える。従って、第２実施例の印刷処理システム１０では、テクスチャ成分を付加する前の画像ＩＭＧと比較して、印刷媒体へのインク吐出量を少なくしても、画質の低下を抑制しつつ、インク吐出量を低減できる。
【００７９】
Ｃ．変形例：
なお、この発明は上記の実施例や実施形態に限られるものではなく、その要旨を逸脱しない範囲において種々の態様において実施することが可能であり、例えば次のような変形も可能である。
【００８０】
Ｃ１．変形例１：
上記各実施例におけるコンピューター１００の構成は、あくまで一例であり、種々変形可能である。上記各実施例では、画像ＩＭＧの背景ＢＧに付加されたテクスチャ成分の色域を圧縮していたが、色域を伸張してもよい。また、画像ＩＭＧのオブジェクトＯＢＪに付加されたテクスチャ成分の色域を伸張していたが、色域を圧縮してもよい。
【００８１】
また、上記各実施例では、画像ＩＭＧの背景ＢＧに付加されたテクスチャ成分の周波数は、画像ＩＭＧのオブジェクトＯＢＪに付加されたテクスチャ成分の周波数よりも大きいとしたが、小さくてもよい。さらに、画像ＩＭＧの背景ＢＧに付加されたテクスチャ成分の振幅は、画像ＩＭＧのオブジェクトＯＢＪに付加されたテクスチャ成分の振幅よりも小さいとしたが、大きくてもよい。この場合、背景ＢＧとオブジェクトＯＢＪとは、奥行き弁別閾値が異なり、オブジェクトＯＢＪは、背景ＢＧよりも、見た目上、遠くに存在しているように見える。そのため、オブジェクトＯＢＪは、背景ＢＧにめり込んだ文様のように見え、押し印のような印象を与えることができる。よって、オブジェクトＯＢＪは、見た目上、背景ＢＧに対して目立って見える。従って、この印刷処理システム１０では、テクスチャ成分を付加する前の画像ＩＭＧと比較して、印刷媒体へのインク吐出量を少なくしても、画質の低下を抑制しつつ、インク吐出量を低減できる。
【００８２】
Ｃ２．変形例２：
上記第２実施例では、画像ＩＭＧのオブジェクトＯＢＪにテクスチャ成分を付加した後に、付加したテクスチャ成分の色域を伸張していたが、画像処理を行う前の画像ＩＭＧにもともと備わっているオブジェクトＯＢＪの色域を変更してもよい。そのため、スキャナー４００等で読み取った対象物の画像ＩＭＧのオブジェクトＯＢＪの色域を変更する画像処理を行うことにより、画像処理前の画像ＩＭＧと比較して、よりオブジェクトＯＢＪは、見た目上、背景ＢＧに対して目立って見える。
【００８３】
Ｃ３．変形例３：
上記各実施例では、画像処理前の画像ＩＭＧのＲＧＢ成分の階調値は、特定の階調値の成分量が１００％であるとしたが、この数値に限られない。背景ＢＧとオブジェクトＯＢＪとは、特定の階調値の成分量が１００％の必要はないし、濃淡を有していてもよい。また、背景ＢＧやオブジェクトＯＢＪに付加するテクスチャ成分のＲＧＢ成分は上記各実施例のものに限られないし、色域の圧縮や伸張の数値や方法も上記各実施例のものに限られない。なお、奥行き弁別閾値の違いによる知覚・認知効果の点から、背景ＢＧのテクスチャ成分の周波数は、０．５パターン／ｍｍから６パターン／ｍｍであることが好ましい。特に上記第１実施例の背景ＢＧの粒状パターンＧＲのテクスチャ成分では、２．５パターン／ｍｍから３．５パターン／ｍｍの間であることがさらに好ましい。また、背景ＢＧに付加するテクスチャ成分で斜線を繰り返す模様では、１パターン／ｍｍから２パターン／ｍｍの間であることが好ましい。また、背景ＢＧのテクスチャ成分の振幅とオブジェクトＯＢＪのテクスチャ成分の振幅との関係では、オブジェクトＯＢＪのテクスチャ成分の振幅が背景ＢＧのテクスチャ成分の振幅の１．２倍以上であることが好ましい。
【００８４】
Ｃ４．変形例４：
上記各実施例では、印刷媒体へのインク吐出量を少なくした上で、画像処理前の画像ＩＭＧと比較して、画質の低下を抑制することができる。そのため、印刷媒体は包装紙に限られないし、コート層を有する専用紙であってもよいし、紙以外の印刷媒体であってもよい。また、インクジェットプリンター３００が減らすインク吐出量は、上記各実施例の数値に限定されない。
【００８５】
Ｃ５．変形例５：
上記各実施例では、背景ＢＧに付加するテクスチャ成分を選択した後、背景ＢＧの色域の圧縮を行い、その後、オブジェクトＯＢＪに付加するテクスチャ成分を選択した後、オブジェクトＯＢＪの色域を伸張しているが、テクスチャ成分の選択や色域の変化の順番は上記各実施例に限られない。オブジェクトＯＢＪにテクスチャ成分を付加した後、背景ＢＧにテクスチャ成分を付加してもよいし、操作者が、背景ＢＧとオブジェクトＯＢＪとの内、先に画像処理を行う対象を操作部１３０によって指示選択してもよい。また、背景ＢＧやオブジェクトＯＢＪにテクスチャ成分を付加してから色域を変化させるのではなく、先に色域を変化させたテクスチャ成分を背景ＢＧやオブジェクトＯＢＪに付加してもよい。
【００８６】
上記各実施例では、テクスチャ成分を付加する元画像ＩＭＧにおいて、背景ＢＧの色は、濃淡のない特定の一色であるとしたが、そうでなくてもよい。元画像ＩＭＧの背景ＢＧがもともとテクスチャ成分を有していても、さらにテクスチャ成分を付加する処理を行ってもよい。オブジェクトＯＢＪについても同様に、元画像ＩＭＧのオブジェクトＯＢＪの色やテクスチャ成分に関係なく、さらにテクスチャ成分を付加してもよい。
【００８７】
Ｃ６．変形例６：
上記各実施例では、画像処理装置として、コンピューター１００を用いて画像処理を実行しているが、このほかにも、例えば、画像処理機能を備えるスタンドアローン型のプリンター、表示装置を画像処理装置として用いてもよく、この場合にはプリンターまたは表示装置において上記画像処理が実行される。また、画像処理装置等のハードウェア構成を伴うことなく、プリンタードライバー、ビデオドライバー、画像処理アプリケーション（プログラム）としても実現され得る。ここで、表示装置には、例えば、画像データに対する画質調整機能を有し、画質を調整した画像データに基づいて出力画像を表示可能な、ＣＲＴ、液晶ディスプレイ、プロジェクター等が含まれる。
【００８８】
Ｃ７．変形例７：
上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【００８９】
Ｃ８．変形例８：
また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。
【符号の説明】
【００９０】
１０…印刷処理システム
１００…コンピューター
１１０…ＣＰＵ
１２０…表示部
１３０…操作部
１４０…外部記憶装置
１５０…インターフェース部
１６０…バス
２００…内部記憶装置
２１０…画像処理モジュール
２２０…画像取得モジュール
２３０…印刷制御モジュール
２４０…画像生成モジュール
３００…インクジェットプリンター
４００…スキャナー
ＢＧ…背景
ＧＲ…粒状パターン
ＯＢＪ…オブジェクト
ＩＭＧ…画像
【図１】
0005887715.tif 000002
【図２】
0005887715.tif 000003
【図３】
0005887715.tif 000004
【図４】
0005887715.tif 000005
【図５】
0005887715.tif 000006
【図６】
0005887715.tif 000007
【図７】
0005887715.tif 000008
【図８】
0005887715.tif 000009
【図９】
0005887715.tif 000010
【図１０】
0005887715.tif 000011
【図１１】
0005887715.tif 000012
【図１２】
0005887715.tif 000013
【図１３】
0005887715.tif 000014
【図１４】
0005887715.tif 000015